(57)【要約】本発明にかかる緩衝部材を備えた人工歯インプラントは，表面にネジ山が形成され，上部には複数の固定孔が形成され，内部には挿入孔が形成される本体と；上記本体の内部に形成される上記挿入孔に挿入され，一部が上記本体の上部に突出される緩衝部材と；上記緩衝部材の内部に挿入された状態で，上記本体の上記挿入孔内に固定される回転防止部材と；上記回転防止部材が内部に挿入された上記緩衝部材の上部において上記本体に固定されて上記緩衝部材の離脱を防止し，上部には上記本体の上記固定孔と対応する貫通孔が形成された固定部材と；上記固定部材の上部に形成された上記貫通孔を貫通して，上記本体の上部に形成された上記固定孔に挿入され，上記固定部材が上記本体の上部において回転して離脱することを防止する固定ピンと；上記緩衝部材の内部に挿入された状態で，上記本体の上記挿入孔内に固定された上記回転防止部材に固定され，上部に突出した部分に人工歯が固定される支柱と；を含むことを特徴とする。
2005512727.tif 000002
【特許請求の範囲】
【請求項１】
表面にネジ山が形成され，上部には複数の固定孔が形成され，内部には挿入孔が形成される本体と；
前記本体の内部に形成される前記挿入孔に挿入され，一部が前記本体の上部に突出される緩衝部材と；
前記緩衝部材の内部に挿入された状態で，前記本体の前記挿入孔内に固定される回転防止部材と；
前記回転防止部材が内部に挿入された前記緩衝部材の上部において前記本体に固定されて前記緩衝部材の離脱を防止し，上部には前記本体の前記固定孔と対応する貫通孔が形成された固定部材と；
前記固定部材の上部に形成された前記貫通孔を貫通して，前記本体の上部に形成された前記固定孔に挿入され，前記固定部材が前記本体の上部において回転して離脱することを防止する固定ピンと；
前記緩衝部材の内部に挿入された状態で，前記本体の前記挿入孔内に固定された前記回転防止部材に固定され，上部に突出した部分に人工歯が固定される支柱と；
を含むことを特徴とする，緩衝部材を備えた人工歯インプラント。
【請求項２】
前記本体の内部に形成される前記挿入孔を多角形状として形成すると共に，前記本体の前記挿入孔に挿入される前記緩衝部材および前記回転防止部材を前記本体の前記挿入孔に対応した多角形状として形成して，前記緩衝部材と前記回転防止部材が，前記本体の前記挿入孔に挿入された状態において，回転しないようにすることを特徴とする，請求項１に記載の緩衝部材を備えた人工歯インプラント。
【発明の詳細な説明】
【０００１】
（発明が属する技術分野）
本発明は，人工歯を埋め込むために一般的に用いる人工歯インプラントにかかり，特に，飲食物を噛むときに発生する咬合圧力を緩和し，歯槽骨の損傷を防止する緩衝部材を備えた人工歯インプラントに関する。
【０００２】
（従来技術）
図１に示すように，歯槽骨（１００）に固定される歯牙は，歯茎（２００）によって保護される歯槽骨（１００）と天然歯牙（４００）の間に，歯周靭帯（３００）を有している。飲食物を咀嚼するときには，上歯と下歯は，相互に接触して，咬合される。
【０００３】
上記の通り，上歯と下歯が咬合されるときには，歯周靭帯（３００）が相互咬合される天然歯牙（４００）と緩衝することにより，歯槽骨（１００）に伝わる咬合圧が均等に分散されるので，歯槽骨（１００）が損傷することを防止できる。
【０００４】
しかしながら，上記のような天然歯牙が不十分な管理が原因で抜けてしまうと，飲食物を咀嚼することができない。このため，天然歯牙の代用として，歯槽骨に固定した人工歯が用いられている。
【０００５】
このように歯槽骨に固定する人工歯は，公知の通り，歯槽骨に人工歯インプラントを固定して，このインプラントの上部に人工歯を固定している。
【０００６】
しかしながら，従来の人工歯インプラントを用いる場合には，歯槽骨に本体を固定するため歯周靭帯が切開される。人工歯が形成される支柱は，ネジを用いて人工歯インプラントの本体に挿入され，上記歯周靭帯が切開された部分の歯槽骨に固定される。
【０００７】
かかる構成では，人工歯インプラントの本体と支柱には，飲食物を咀嚼するときに発生する咬合圧を緩衝する手段が設けられていないので，咬合圧が人工歯を介して歯槽骨に直接伝わってしまう。このため，人工歯を長期間使用すると，歯槽骨が咬合圧によって崩れてしまう。よって，人工歯インプラント本体が張りだしてしまい，天然歯牙と人工歯の高さがずれてしまうという問題があった。
【０００８】
また，人工歯インプラントが歯槽骨に固定されるので，天然歯牙は飲食物を咀嚼するとき，自然に緩衝して，好適に飲食物を咀嚼することができる。しかし，人工歯は，緩衝せず堅いので，使用者にとって違和感が生じてしまう。また，歯槽骨に固定される本体と人工歯が固定される支柱とが，相互に雌ネジと雄ネジによって固定されるので，支柱が本体に対して回転し，人工歯と天然歯牙の配列がずれてしまうという問題があった。
【０００９】
（本発明が解決しようとする課題）
本発明は，上記のような問題点を解決するため案出されたものであり，本発明の目的は，飲食物を噛むときに発生する咬合圧を緩衝して，歯槽骨に影響を与えず，違和感のないようにすることが可能な，緩衝部材を備えた人工歯インプラントを提供することにある。
【００１０】
本発明の別の目的は，歯槽骨に固定される本体に挿入され，上部には人工歯が固定される支柱が，本体に対して回転するのを防止することが可能な，緩衝部材を備えた人工歯インプラントを提供することにある。
【００１１】
（発明の開示）
上記課題を解決するため，本発明によれば，表面にネジ山が形成され，上部には複数の固定孔が形成され，内部には挿入孔が形成される本体と；上記本体の内部に形成される上記挿入孔に挿入され，一部が上記本体の上部に突出される緩衝部材と；上記緩衝部材の内部に挿入された状態で，上記本体の上記挿入孔内に固定される回転防止部材と；上記回転防止部材が内部に挿入された上記緩衝部材の上部において上記本体に固定されて上記緩衝部材の離脱を防止し，上部には上記本体の上記固定孔と対応する貫通孔が形成された固定部材と；上記固定部材の上部に形成された上記貫通孔を貫通して，上記本体の上部に形成された上記固定孔に挿入され，上記固定部材が上記本体の上部において回転して離脱することを防止する固定ピンと；上記緩衝部材の内部に挿入された状態で，上記本体の上記挿入孔内に固定された上記回転防止部材に固定され，上部に突出した部分に人工歯が固定される支柱と；を含むことを特徴とする，緩衝部材を備えた人工歯インプラントが提供される。
【００１２】
（発明を実施するための最良の形態）
以下に，本発明の好適な実施形態にかかる緩衝部材を備えた人工歯インプラントについて，図面を参照しながら詳細に説明する。
【００１３】
まず，本実施形態にかかる緩衝部材を備えた人工歯インプラント（５００）は，図２及び図３に示すように，歯茎（２００）によって保護される歯槽骨（１００）に固定される。この人工歯インプラント（５００）の本体（５１０）の表面には雄ネジが形成される。
【００１４】
人工歯インプラント（５００）の本体（５１０）上部には，複数の固定孔（５１２）が形成されている。
【００１５】
上部に複数の固定孔（５１２）が形成された本体（５１０）の内部には，図２に示すように，断面が多角形となる挿入孔（５１１）が形成されている。
【００１６】
この本体（５１０）の挿入孔（５１１）は，その断面が六角形となるように形成することが好ましいが，例えば，四角形，八角形またはそれ以上の多角形であっても良い。
【００１７】
このように本体（５１０）の内部に形成された挿入孔（５１１）には，図２及び図３に示すように，緩衝部材（５２０）が挿入される。この緩衝部材（５２０）は，ゴムまたは合成樹脂で形成されており，強い弾性力を有する。
【００１８】
本体（５１０）の挿入孔（５１１）に挿入される緩衝部材（５２０）の下部は，上記本体（５１０）の挿入孔（５１１）の形状と対応した多角形として形成される。また，緩衝部材（５２０）の上部は，その幅が，人工歯インプラント（５００）の本体（５１０）幅と略同一になるように形成される。
【００１９】
上記のように，本体（５１０）の内部に形成された挿入孔（５１１）に挿入された緩衝部材（５２０）の内部には，回転防止部材（５３０）が挿入される。この回転防止部材（５３０）は，本体（５１０）の内部に形成された挿入孔（５１１）の形状と対応した多角形状を有するように形成されている。このため，回転防止部材（５３０）を本体（５１０）の挿入孔（５１１）に挿入したときに，多角形状の回転防止部材（５３０）および緩衝部材（５２０）が，本体（５１０）内で回転することを防止できる。
【００２０】
上記のように本体（５１０）の内部に形成された挿入孔（５１１）に回転防止部材（５３０）と共に挿入された緩衝部材（５２０）の上部には，固定部材（５４０）が固定される。
【００２１】
緩衝部材（５２０）に固定される固定部材（５４０）は，本体（５１０）の幅と略同一な幅で形成された下端部に固定することが好ましい。固定部材（５４０）が固定される緩衝部材（５２０）が本体（５１０）の挿入孔（５１１）に挿入されたとき，固定部材（５４０）は本体（５１０）の上部に固定される。
【００２２】
本体（５１０）の上部に固定される固定部材（５４０）の上部には，上記本体（５１０）の上部に形成された固定孔（５１２）と対応する位置に複数の貫通孔（５４１）が形成される。
【００２３】
本体（５１０）の挿入孔（５１１）に回転防止部材（５３０）と緩衝部材（５２０）が挿入された状態において，固定部材（５４０）が，緩衝部材（５２０）の上端部で，本体（５１０）と固定される。このとき，固定部材（５４０）は，本体（５１０）の挿入孔（５１１）に緩衝部材（５２０）と共に挿入された回転防止部材（５３０）が上部に離脱することを防止する。
【００２４】
回転防止部材（５３０）および緩衝部材（５２０）が挿入孔（５１１）に挿入されたとき，本体（５１０）の上部に固定される固定部材（５４０）と本体（５１０）とが，雌ネジと雄ネジによって固定することが好ましい。固定部材（５４０）が本体（５１０）の上部に固定されるとき，緩衝部材（５２０）の上部に本体（５１０）幅と略同一な幅で形成された部分が，固定部材（５４０）の上部をカバ−する。
【００２５】
回転防止部材（５３０）が内部に挿入された緩衝部材（５２０）が本体（５１０）の挿入孔（５１１）に挿入された状態で，固定ピンが（５５０）が，本体（５１０）の上部に形成される固定孔（５１２）に固定される。この固定孔（５１２）は，本体（５１０）の上部に固定される固定部材（５４０）の上部に形成される貫通孔（５４１）と対応する位置に形成されている。このような固定ピン（５５０）を固定することにより，本体（５１０）の上部に固定される固定部材（５４０）が，本体（５１０）に対して回転および離脱することを防止できる。
【００２６】
回転防止部材（５３０）が挿入された緩衝部材（５２０）が本体（５１０）の内部に形成された挿入孔（５１１）に固定され，上記本体（５１０）の上部に固定部材（５４０）が固定されると，人工歯（６００）が固定される支柱（５６０）が，本体（５１０）の挿入孔（５１１）に緩衝部材（５２０）と共に挿入された回転防止部材（５３０）に固定される。
【００２７】
上記支柱（５６０）を回転防止部材（５３０）に固定する方式は，一側には雌ネジを形成し，他側には雄ネジを形成して締結する方式が好ましい。このように締結及び固定される支柱（５６０）は，緩衝部材（５２０）の上側に一部が突出するよう形成される。
【００２８】
上記のような構成の本実施形態では，人工歯（６００）を固定するためには，まず，人工歯インプラント（５００）の本体（５１０）に形成されたネジ山を用いて，図３に示すように，この本体（５１０）を歯槽骨（１００）に固定する。
【００２９】
次いで，人工歯インプラント（５００）の本体（５１０）が歯槽骨（１００）に固定された状態において，所定時間経過後，内部に回転防止部材（５３０）が挿入される。上部には固定部材（５４０）が形成された緩衝部材（５２０）が，人工歯インプラント（５００）の本体（５１０）内部に形成された挿入孔（５１１）に挿入されて固定される。
【００３０】
上記のように本体（５１０）の挿入孔（５１１）に挿入される回転防止部材（５３０）および緩衝部材（５２０）は，上記挿入孔（５１１）と相互に対応した多角形として形成されているので，回転防止部材（５３０）と緩衝部材（５２０）は，本体（５１０）の挿入孔（５１１）に挿入された状態においては，回転しない。
【００３１】
回転防止部材（５３０）が挿入された緩衝部材（５２０）が，本体（５１０）の挿入孔（５１１）に挿入されると，固定部材（５４０）を本体（５１０）の上部に固定して上記本体（５１０）の挿入孔（５１１）に挿入された回転防止部材（５３０）が上部に離脱することを防止する。
【００３２】
固定部材（５４０）が本体（５１０）の上部に固定されると，上記固定部材（５４０）および本体（５１０）の上部に相互に対応して形成された複数の貫通孔（５４１）および固定孔（５１２）に，固定ピン（５５０）を挿入して，固定部材（５４０）が本体（５１０）に対して回転および離脱することを防止する。
【００３３】
歯槽骨（１００）に固定される人工歯インプラント（５００）の本体（５１０）に回転防止部材（５３０）が挿入された緩衝部材（５２０）が挿入され，本体（５１０）の上部に固定部材（５４０）が固定されると，上記本体（５１０）の内部に形成された挿入孔（５１１）に挿入された回転防止部材（５３０）に，図３に示すように，支柱（５６０）が固定される。
【００３４】
上記支柱（５６０）を回転防止部材（５３０）に固定するとき，上記回転防止部材（５３０）は多角形として形成された本体（５１０）の挿入孔（５１１）と対応した形状に形成されている。このため，支柱（５６０）を固定しても，回転防止部材（５３０）は回転しない。
【００３５】
本体（５１０）の内部に形成された挿入孔（５１１）に緩衝部材（５２０）と共に固定される回転防止部材（５３０）に，支柱（５６０）が固定されるとき，上記支柱（５６０）は固定部材（５４０）の上部をカバ−している緩衝部材（５２０）の端部よりさらに突出する。
【００３６】
次いで，人工歯（６００）は，緩衝部材（５２０）の上部と，固定部材（５４０）の緩衝部材（５２０）よりさらに突出形成された支柱（５６０）に，接着剤などを使って固定される。
【００３７】
上記のように支柱（５６０）と共に人工歯（６００）の一部が緩衝部材（５２０）に固定され，上記人工歯（６００）が固定される支柱（５６０）が緩衝部材（５２０）の内部に形成される回転防止部材（５３０）に挿入された状態なので，固定された人工歯（６００）を用いて飲食物を咀嚼したとき発生する咬合圧は，緩衝部材（５２０）に伝達されて，緩和される。このため，歯槽骨（１００）を保護することができる。
【００３８】
さらに，本体（５１０）の内部に形成された挿入孔（５１１）と上記挿入孔（５１１）に挿入される回転防止部材（５３０）が，多角形状を有しているので，上記回転防止部材（５３０）に固定される支柱（５６０）が回転しない。このため，人工歯（６００）と天然歯牙（４００）との配列が狂うことを防止できる。
【００３９】
以上のように，本発明の好適な実施の形態にかかる緩衝部材を備えた人工歯インプラントについて説明したが，本発明は，かかる例に限定されるものではない。特許請求の範囲，発明の詳細な説明及び添附図面の範囲内で多様に変形することが可能であり，これらもまた本発明の技術的範囲に含まれる。
【００４０】
（発明の効果）
本発明によれば，歯槽骨に固定される本体と上記本体に固定される支柱の間に緩衝部材を固定して，飲食物を咀嚼するときに発生する咬合圧を，歯槽骨に直接伝えず，緩和できるので，歯槽骨に影響を与えない。このため，咬合圧によって歯槽骨が侵食されることを防止できるという效果を奏する。
【００４１】
また，飲食物を咀嚼するとき，人工歯が緩衝部材によって押されて緩衝されるので，緩衝部材が天然歯牙の歯周靭帯のような役割を果たす。このため，飲食物を咀嚼するとき発生する異物感がないという效果を奏する。
【００４２】
さらに，歯槽骨に固定される本体内部に多角形状を有する挿入孔を形成し，上記本体の挿入孔に挿入され支柱を固定する回転防止部材を挿入孔と対応した多角形状となるよう形成するので，回転防止部材が本体の内部において回転しない。このため，回転防止部材に固定された支柱が回転しないので，歯牙の配列が狂わないという效果を奏する。
【図面の簡単な説明】
【図１】
図１は，歯牙が固定される状態を概略的に示した断面図である。
【図２】
図２は，本発明の好適な実施形態にかかる人工歯インプラントを示す分解斜視図である。
【図３】
図３は，本発明の好適な実施形態にかかる人工歯インプラントが歯槽骨に固定された状態を概略的に示す断面図である。
【図１】
2005512727.tif 000003
【図２】
2005512727.tif 000004
【図３】
2005512727.tif 000005
【国際調査報告】
2005512727.tif 000006